(57)【特許請求の範囲】
【請求項１】
ハウジングと、
該ハウジングに設けられたモータと、
該ハウジング内に配置され止具を打撃して打込むブレードと、
該ハウジング内に配置され該ブレードと一体で該止具の打込方向及び反打込方向へ移動するプランジャと、
該打込方向に該プランジャを付勢するバネと、
該プランジャを反打込方向に移動させて該バネを該反打込方向に圧縮するための、該モータと該プランジャとをつなぐ動力伝達機構と、
該打込方向及び該反打込方向へ移動可能であり該ブレードによる該止具の打込時に該プランジャが衝突するバンパと、
略円柱形状をなし軸心が該打込方向に平行に配置され軸心を中心として回転可能に該ハウジングに支承されると共に該ハウジングに対し該軸心の方向に移動不能に支持され、周面に凹部もしくは凸部を有し該周面の一部は該ハウジング外部に露出するアジャスタと、
付勢部凸部もしくは付勢部凹部を有し該付勢部凸部もしくは付勢部凹部を該アジャスタの周面に常時当接させるように付勢して該付勢部凸部もしくは付勢部凹部を該アジャスタの該凹部もしくは凸部に係合可能とする付勢部と、を有し、
該バンパは該アジャスタの軸方向一端側に設けられ、該アジャスタを回転させることにより該打込方向又は反打込方向に移動することを特徴する打込機。
【請求項２】
該付勢部は該ハウジングに支持された板バネからなることを特徴とする請求項１記載の打込機。
【請求項３】
該付勢部凸部は該板バネの一部が折り曲げられてなることを特徴とする請求項２記載の打込機。
【請求項４】
該凹部は該アジャスタの軸方向に平行に延びる複数の溝が該周面に形成されてなることを特徴とする請求項１乃至請求項３のいずれか一記載の打込機。
【請求項５】
該バンパは、打込方向に平行に延びる支持部軸部を有するバンパホルダによって支持され、
該アジャスタは中空の略円柱形状をなして該支持部軸部を環装し、
該アジャスタの内周面と該支持部軸部の外周面とが螺合することにより該アジャスタと該バンパホルダとは連結されていることを特徴とする請求項１乃至請求項４のいずれか一記載の打込機。
【発明の詳細な説明】
【技術分野】
【０００１】
本発明は打込機に関し、特に電動式の打込機に関する。
【背景技術】
【０００２】
モータの回転によってハウジング内部にエネルギーを蓄積し、蓄積したエネルギーによってプランジャを駆動して釘を打込む打込機が従来より知られている。モータの駆動力をエネルギーとして蓄積する手段としては、例えばコイルバネが利用されている。
【０００３】
より具体的には、プランジャにはピン係止部が設けられ、モータとプランジャとの間にはモータの回転力をプランジャへと伝達する複数の歯車から構成された動力伝達機構が設けられている。動力伝達機構を構成する歯車の一つの周面近傍には、ピンが突出して設けられている。モータが駆動して当該歯車が回転し、ピンがピン係止部に係合しプランジャが移動させられる。このことによりプランジャの一端側に設けられたコイルバネが圧縮され、エネルギーがコイルバネに蓄積される。そして、ピンとピン係止部との係合が解除されプランジャが開放されることによって、プランジャはコイルの付勢する方向へ高速で移動し、プランジャに一体で移動可能に設けられたブレードによって釘等の止具を打撃して被打込み材に打込む。プランジャは、止具をブレードが打撃した後にハウジング内に設けられたバンパに衝突するように構成されている。
【０００４】
打込機には、止具を被打込み材に対して打込む深さ、即ち打込深度の調整が可能であることが要求される。これは、被打込み材の材質が異なる場合に一定の打撃強度で止具を打撃して打込むと、止具を完全に打込むことができなかったり、深く打込みすぎてしまったりするためである。そこで打込機には、打込深度の調整を可能とする構成が設けられている。
【０００５】
特開平４−１２２５８１号公報（特許文献１）には、止具の打込方向又はその反対の方向たる反打込方向へバンパを移動させることができる打込機が記載されている。ハウジング内においてバンパはバンパホルダにより支持されており、バンパホルダはバンパと一体で止具の打込方向又は反打込方向へ移動可能である。バンパホルダの一部には歯車が螺刻されている。またハウジング内には略円柱形状をしたアジャスタが、その軸心が打込方向に平行をなして配置されてその軸心を中心として回転可能に支持されている。アジャスタの一部には歯車が螺刻されている。また、アジャスタの周面の一部は、ハウジングに形成された貫通孔を通してハウジング外部へ露出している。
【０００６】
バンパホルダの歯車とアジャスタの歯車とは螺合している。ハウジング外部へ露出しているアジャスタの部分に、打込機を使用するユーザが指の腹を押し当ててアジャスタを回転させて、バンパホルダを止具の打込み方向へ移動させることにより、バンパ及びバンパホルダを止具の打込方向又は反打込方向へ移動させることができるように構成されている。バンパを反打込方向へ移動させることにより、打込み時にプランジャが早くバンパに衝突し、打込み深さを浅くすることができる。バンパを打込方向へ移動させることにより、打込み時にプランジャが遅くバンパに衝突し、打込み深さを浅くすることができる。
【０００７】
アジャスタをユーザが回転させないときには、アジャスタが自然に回転してしまうことを防止するための回転防止機構が設けられている。具体的には、アジャスタの軸方向の端面には円状に点々と凹部が形成されており、凹部には、バネ付勢されたピンの頭部が当接可能である。この構成により、アジャスタが不連続に回転するいわゆるクリック感を発生させることができ、また、アジャスタが自然に回転してしまうことを防止することができる。
【先行技術文献】
【特許文献】
【０００８】
【特許文献１】特開平４−１２２５８１号公報
【発明の概要】
【発明が解決しようとする課題】
【０００９】
しかし、上記公報記載の打込機では、アジャスタの軸方向の一端側にバンパが配置されている。そして、当該打込機の回転防止機構では、アジャスタの軸方向の端面においてピンの頭部が当接している。バンパにプランジャが衝突したときの衝撃はアジャスタの軸方向に伝達されるため、アジャスタの軸方向の端面によりピンを破損させてしまうという問題が生ずる。
【００１０】
そこで、本発明は、プランジャがバンパに衝突する衝撃によって破損しない回転防止機構を有する打込機を提供することを目的とする。
【課題を解決するための手段】
【００１１】
上記目的を達成するために、本発明は、ハウジングと、該ハウジングに設けられたモータと、該ハウジング内に配置され止具を打撃して打込むブレードと、該ハウジング内に配置され該ブレードと一体で該止具の打込方向及び反打込方向へ移動するプランジャと、該打込方向に該プランジャを付勢するバネと、該プランジャを反打込方向に移動させて該バネを該反打込方向に圧縮するための、該モータと該プランジャとをつなぐ動力伝達機構と、該打込方向及び該反打込方向へ移動可能であり該ブレードによる該止具の打込時に該プランジャが衝突するバンパと、略円柱形状をなし軸心が該打込方向に平行に配置され軸心を中心として回転可能に該ハウジングに支承されると共に該ハウジングに対し該軸心の方向に移動不能に支持され、周面に凹部もしくは凸部を有し該周面の一部は該ハウジング外部に露出するアジャスタと、該付勢部凸部もしくは付勢部凹部を有し該付勢部凸部もしくは付勢部凹部を該アジャスタの周面に常時当接させるように付勢して該付勢部凸部もしくは付勢部凹部を該アジャスタの該凹部もしくは凸部に係合可能とする付勢部とを有し、該バンパは該アジャスタの軸方向一端側に設けられ、該アジャスタを回転させることにより該打込方向又は反打込方向に移動する打込機を提供している。
【００１２】
略円柱形状をなし軸心が打込方向に平行に配置され軸心を中心として回転可能にハウジングに支承され、周面に凹部もしくは凸部を有し周面の一部はハウジング外部に露出するアジャスタとを備え、バンパは、アジャスタを回転させることによりバンパを打込方向又は反打込方向へ移動可能であり、付勢部凸部もしくは付勢部凹部を有し付勢部凸部もしくは付勢部凹部をアジャスタの周面に常時当接させるように付勢して付勢部凸部もしくは付勢部凹部をアジャスタの凹部もしくは凸部に係合可能とする付勢部を有するため、プランジャがバンパに衝突する衝撃がアジャスタに伝達されたときに、衝撃が伝達される方向はアジャスタの軸方向へ指向している。このため、付勢部に強い衝撃は作用せず、付勢部が衝撃により破損することを防止することができる。
【００１３】
また、アジャスタの周面の一部はハウジング外部に露出しているため、打込機のユーザがアジャスタの周面の凹部もしくは凸部を指の腹の部分に係止させることにより、アジャスタを容易に回転させることができる。また、アジャスタの周面の凹部もしくは凸部に付勢部凸部もしくは付勢部凹部が係合することにより、ユーザがアジャスタを回転させたときにアジャスタが不連続に回転するいわゆるクリック感を発生させることができる。また、ユーザがアジャスタを回転させていないときにアジャスタが自然に回転してしまうことを防止する緩み止めの機能を発揮することができる。
【００１４】
ここで、該付勢部は該ハウジングに支持された板バネからなることが好ましい。付勢部はハウジングに支持された板バネからなるため、付勢部を簡単な構成とすることができる。
【００１５】
また、該付勢部凸部は該板バネの一部が折り曲げられてなることが好ましい。付勢部凸部は板バネの一部が折り曲げられてなるため、付勢部凸部を簡単な構成とすることができる。
【００１６】
また、該凹部は該アジャスタの軸方向に平行に延びる複数の溝が該周面に形成されてなることが好ましい。凹部はアジャスタの軸方向に平行に延びる複数の溝が周面に形成されてなるため、アジャスタを回転させるときにユーザの指の腹が滑りにくい周面とすることができる。
【００１７】
また、該バンパは、打込方向に平行に延びる支持部軸部を有するバンパホルダによって支持され、該アジャスタは中空の略円柱形状をなして該支持部軸部を環装し、該アジャスタの内周面と該支持部軸部の外周面とが螺合することにより該アジャスタと該バンパホルダとは連結されていることが好ましい。
【００１８】
バンパは、アジャスタの軸方向一端側に設けられ、打込方向に平行に延びる支持部軸部を有するバンパホルダによって支持され、アジャスタは中空の略円柱形状をなして支持部軸部を環装し、アジャスタの内周面と支持部軸部の外周面とが螺合することによりアジャスタとバンパホルダとは連結されているため、アジャスタの外径を大きくすることができる。このため、打込機のユーザが比較的弱い力でアジャスタを回転させることができる。
【発明の効果】
【００１９】
以上より本発明は、プランジャがバンパに衝突する衝撃によって破損しない回転防止機構を有する打込機を提供することができる。
【図面の簡単な説明】
【００２０】
【図１】本発明の実施の形態による打込機を示す部分断面図。
【図２】本発明の実施の形態による打込機を示す要部断面図。
【図３】本発明の実施の形態による打込機を示す要部断面図。
【発明を実施するための形態】
【００２１】
以下、本発明の実施の形態による打込機について、図１乃至図３に基づき説明する。打込機は具体的には電動式の釘打機１であり、止具である釘１Ａを木材や石膏ボードなどの図示せぬ被打込材に打ち込み可能である。釘打機１は、ハウジング２と、駆動部３と、打込み部６と、ノーズ部７と、マガジン８とを有している。後述のプランジャ６３が移動する方向たる図１の上下方向を上下方向と定義し、特にプランジャ６３が後述のバネ６２により付勢されて釘１Ａを打撃する方向を下方向（打込方向）と定義し、打込方向と反対の方向を上方向（反打込方向）と定義して説明する。
【００２２】
ハウジング２は、ナイロンまたはポリカーボネイト等の樹脂から構成されており、内部に駆動部３等を内蔵している。ハウジング２の上側部分はハンドル２１を有しており、ハンドル２１には駆動部３の制御を行うトリガ２１Ａが設けられている。またハンドル２１には着脱式の電池２２が設けられており、ハンドル２１の内部には電池２２から供給される電力を駆動部３に供給する図示されていない電源供給部が設けられている。
【００２３】
また、ハウジング２の一部であって後述のノーズ部７近傍の部分には、ハウジング２の内部と外部とを連通する貫通孔２ａ（図３）が形成されている。貫通孔２ａの近傍であってハウジング２内部には板バネ２Ａがハウジング２に固定されて設けられている。板バネ２Ａは付勢部に相当する。板バネ２Ａの表面は上下方向に平行に指向しており、板バネ２Ａの長手方向の略中央位置には、板バネ２Ａが折り曲げられて山状に突出する板バネ凸部２Ｂをなしている。板バネ凸部２Ｂは付勢部凸部に相当する。板バネ凸部２Ｂは板バネ２Ａの表面に沿って上下方向へ延びている。板バネ２Ａは後述のアジャスタ６６の周面と擦れたときに摩耗しにくい硬度の高い材料、例えば、バネ用ステンレス鋼の高硬度仕様のものが用いられて構成されている。
【００２４】
駆動部３は、モータ３０と動力伝達機構３１とを有する。モータ３０は出力軸たる軸部３１Ａを備えている。モータ３０はハウジング２内部であってハンドル２１に対して下側に配置されて設けられており、軸部３１Ａが上下方向と直交する方向に指向している。
【００２５】
動力伝達機構３１は、遊星ギア機構３２と遊星ギア機構３２に噛合するプランジャ駆動歯車３３とを有している。遊星ギア機構３２は、軸部３１Ａの端部位置に設けられており、太陽ギア、公転ギア、及び出力軸３２Ａ等を含む公知のギア機構である。遊星ギア機構３２の出力軸３２Ａは軸部３１Ａと同軸上に配置されている。遊星ギア機構３２の出力軸３２Ａは、出力軸３２Ａと一体で回転するピニオン３２Ｂとワンウェイクラッチを備えている。ワンウェイクラッチは、モータ３０からの回転力により出力軸３２Ａが回転する方向へ出力軸３２Ａを回転可能とし、出力軸３２Ａがこれとは逆の方向へ回転しようとしたときには、出力軸３２Ａが回転しないように規制する。
【００２６】
プランジャ駆動歯車３３は、出力軸３２Ａのピニオン３２Ｂと噛合しており、モータ３０が駆動して遊星ギア機構３２の出力軸３２Ａが回転することにより回転するように構成されている。プランジャ駆動歯車３３の側面にはピン３３Ａが設けられている。ピン３３Ａはプランジャ駆動歯車３３の回転に伴い、プランジャ駆動歯車３３の回転軸を中心として回動するように構成されている。
【００２７】
打込み部６は、図１に示されるようにコイルバネ６２とプランジャ６３とを有している。コイルバネ６２は鋼線により構成されている。コイルバネ６２の上端は、プランジャ６３の上方におけるハウジング２の内面に当接している。プランジャ６３にはブレード６３Ｂが接続されており、プランジャ６３とブレード６３Ｂとは一体で打込方向（下方向）又は反打込方向（上方向）へ移動可能に構成されている。プランジャ６３はコイルバネ６２の下方側の端部に当接している。
【００２８】
また、プランジャ６３にはプランジャ駆動歯車３３のピン３３Ａに係合可能な係合部６３Ａが設けられている。プランジャ駆動歯車３３が回転し、ピン３３Ａが係合部６３Ａに係合してプランジャ６３をブレード６３Ｂと共にコイルバネ６３の付勢力に抗して上方へ押上げ、上死点に至るとピン３３Ａと係合部６３Ａとの係合が解除されるように構成されている。
【００２９】
ブレード６３Ｂは、細長い板状に構成されており、プランジャ６３の周縁から下側に延出されて設けられている。ブレード６３Ｂは、初期状態において図１に示されるように、ノーズ部７の射出口７２ａを貫通し、その先端がノーズ部７の最下端より突出している。ハウジング２内においてプランジャ６３の下方には、軟質ゴム、又はウレタン等の樹脂製のバンパ６４が設けられている。
【００３０】
バンパ６４は環状をなしておりその軸方向は上下方向に指向しており、ブレード６３Ｂが釘１Ａを打撃する際にプランジャ６３がバンパ６４に衝突する。バンパ６４はバンパホルダ６５に収容され保持されている。バンパホルダ６５は略円筒形状をなし、軸方向の一端が全面で開口し、他端が軸心位置において開口している。バンパホルダ６５とバンパ６４とは同軸的な位置関係をなして、バンパホルダ６５にバンパ６４が収容されている。
【００３１】
バンパホルダ６５の軸方向の他端側の開口部には、下方へ延びる略円筒形状のホルダネジ部６５Ａが設けられている。ホルダネジ部６５Ａは支持部軸部に相当する。ホルダネジ部６５Ａの外周面は螺刻されている。ホルダネジ部６５Ａにはアジャスタ６６が環装されている。アジャスタ６６は略円筒形状をなし、その軸心を中心として回転可能にハウジング２に支承され、ホルダネジ部６５Ａと同軸的な位置関係で配置されている。アジャスタ６６はその軸方向へは移動不能である。アジャスタ６６の内周面は螺刻されており、螺刻されたホルダネジ部６５Ａの外周面に螺合している。従って、アジャスタ６６が回転することによりホルダネジ部６５Ａは上方向又は下方向へバンパ６４と一体で移動可能である。上下方向におけるバンパ６４及びバンパホルダ６５の移動可能な量は２ｍｍ程度である。
【００３２】
アジャスタ６６の外周面の一部は、ハウジング２の貫通孔２ａにおいてハウジング２外部に露出している。アジャスタ６６の外周面には、アジャスタ６６の軸方向に平行に延びる複数の溝６６ａが外周面全周にわたって形成されている。溝６６ａは凹部に相当する。アジャスタ６６の外周面には、板バネ２Ａ自身の付勢力により板バネ凸部２Ｂが常時当接しており、板バネ凸部２Ｂは溝６６ａに係合可能である。また、アジャスタ６６の外周面にはその全周に渡って板バネ凸部２Ａと擦れたときに摩耗しにくい材料によるめっき、例えば、ニッケルメッキが施されている。ニッケルメッキは硬度が高く、耐摩耗性、摺動性に優れている。
【００３３】
ノーズ部７は打込み部６の下方に配置されている。ノーズ部７にはブレード６３Ｂを挿通可能な射出口７２ａが形成されており、また、後述のプッシュレバ７３を挿通可能な挿通口７２ｂが形成されている。マガジン８は複数本の釘１Ａを内蔵している。釘１Ａは、マガジン８によりノーズ部７へ供給され、ブレード６３Ｂにより打撃可能である。
【００３４】
また、ノーズ部７内には、ブレード６３Ｂに平行に配置されたプッシュレバ７３が設けられている。プッシュレバ７３の一端部は挿通口７２ｂからノーズ部７の外部へ突出し、他端部は、ハウジング２内であってプランジャ６３の上方に設けられたスイッチ７４に接続されている。被打込材への釘１Ａの打込み時に、プッシュレバ７３が被打込材に当接して上方へ押し上げられてスイッチ７４がオンになり、且つトリガ２１がユーザによって引かれたときに、電池２２からモータ３０へ電力が供給されるように構成されている。
【００３５】
上記構成の釘打機１において釘１Ａを図示せぬ被打込材に打ち込む際には、先ず、被打込材の材質に応じて打込み深さを調整する。打込み深さの調整は、ハウジング２の外部に露出しているアジャスタ６６の周面の一部に、釘打機１のユーザが指の腹の部分を押し当てて、アジャスタ６６を回転させることにより行う。打込み深さを深くするためには、アジャスタ６６を回転させてバンパ６４を打込方向へ移動させる。打込み深さを浅くするためには、アジャスタ６６を回転させてバンパ６４を反打込方向へ移動させる。
【００３６】
このとき、アジャスタ６６の周面の一部はハウジング２外部に露出しているため、釘打機１のユーザが溝６６ａが形成されたアジャスタ６６の周面を指の腹の部分に係止させることにより、アジャスタ６６を容易に回転させることができる。また、アジャスタ６６の周面に形成された溝６６ａに板バネ凸部２Ｂが係合することにより、ユーザがアジャスタ６６を回転させたときにアジャスタ６６が不連続に回転するいわゆるクリック感を発生させることができる。
【００３７】
バンパ６４は、アジャスタ６６の上方に設けられ、打込方向に平行に延びるホルダネジ部６５Ａを有するバンパホルダ６５によって支持され、アジャスタ６６は中空の略円柱形状をなしてホルダネジ部６５Ａを環装し、アジャスタ６６の内周面とホルダネジ部６５Ａの外周面とが螺合することによりアジャスタ６６とバンパホルダ６５とは連結されているため、アジャスタ６６の外径を大きくすることができる。このため、釘打機１のユーザが比較的弱い力でアジャスタ６６を回転させることができる。より具体的には、アジャスタ６６の周面の接線方向において最大で７００ｇ程度の力でアジャスタ６６を回転させることができる。
【００３８】
次に、ノーズ部７の先端から突出しているブレード６３Ｂの先端を図示せぬ被打込材表面の打込箇所に沿わせて打込位置を確定する。ブレード６３Ｂは、釘１Ａが打ち込み時に通過する軌跡上に位置するため、ノーズ部７の先端から突出しているブレード６３Ｂで打込位置合わせを行うことにより、釘１Ａを打ち込む位置を正確かつ容易に規定することができる。
【００３９】
この状態で作業者がトリガ２１Ａを引いてモータ３０に電力を供給し、軸部３１Ａを回転させる。この軸部３１Ａの回転は、遊星ギア機構３２によりその回転数が減速されて、出力軸３２Ａを回転させる。このことによりプランジャ駆動歯車３３が回転し、ピン３３Ａが係合部６３Ａに係合してプランジャ６３をブレード６３Ｂと共にコイルバネ６３の付勢力に抗して上方へ押上げ、上死点に至るとピン３３Ａと係合部６３Ａとの係合が解除される。すると、コイルバネ６３の付勢力によりプランジャ６３とブレード６３Ｂとが一体で下方へ高速で移動させられ、ブレード６３Ｂが、後述のマガジン８から供給された釘１Ａを打撃して被打込材へ釘１Ａを打込む。
【００４０】
打込み時にプランジャ６３がバンパ６４に衝突する衝撃がアジャスタ６６に伝達されたときに、衝撃が伝達される方向はアジャスタ６６の軸方向へ指向しているため、アジャスタ６６の周面に当接している板バネ凸部２Ｂを有する板バネ２Ａには強い衝撃は作用しない。このため、板バネ２Ａが衝撃により破損することを防止することができる。また、アジャスタ６６の周面に溝６６ａが形成されており、溝６６ａに板バネ凸部２Ｂが係合しているため、打込み時等のユーザがアジャスタ６６を回転させていないときにアジャスタ６６が自然に回転してしまうことを防止する緩み止めの機能を発揮することができる。
【００４１】
また、付勢部はハウジング２に支持された板バネ２Ａからなるため、付勢部を簡単な構成とすることができる。また、付勢部凸部は板バネ２Ａの一部が折り曲げられてなる板バネ凸部２Ｂからなるため、付勢部凸部を簡単な構成とすることができる。また、凹部はアジャスタ６６の軸方向に平行に延びる複数の溝６６ａが周面に形成されてなるため、アジャスタ６６を回転させるときにユーザの指の腹が滑りにくい周面とすることができる。
【００４２】
本発明の打込機は、上述した実施の形態に限定されず、特許請求の範囲に記載した範囲で種々の変形や改良が可能である。例えば、本実施の形態では付勢部は板バネ２Ａにより構成されたが板バネ２Ａに限定されない。また、付勢部凸部は、板バネ２Ａが折り曲げられて山状に突出する板バネ凸部２Ｂにより構成されたが、この構成に限定されない。また、アジャスタ６６の周面に複数の溝６６ａが形成されて凹部をなしていたが、凹部は溝６６ａに限定されない。
【００４３】
また、アジャスタ６６の周面に凹部たる溝６６ａが形成され、付勢部は付勢部凸部たる板バネ凸部２Ｂを有していたが、これに限定されず、アジャスタの周面に凸部が設けられ、付勢部は付勢部凹部が形成された構成としてもよい。アジャスタの周面の凸部としては、例えば、周面にスチールボールを設けることにより構成してもよい。
【００４４】
また、本実施の形態では打込機は釘打機であったが、釘打機に限定されず、ネジ等を打込むための打込機であってもよい。
【産業上の利用可能性】
【００４５】
本発明の打込機は、より正確な打込み深さが要求される打込機の分野において特に有用である。
【符号の説明】
【００４６】
１・・・釘打機  止具・・・１Ａ  ２・・・ハウジング  ２Ａ・・・板バネ  ２Ｂ・・・板バネ凸部  ３０・・・モータ  ３１・・・動力伝達機構  ６２・・・コイルバネ  ６３・・・プランジャ  ６３Ｂ・・・ブレード  ６４・・・バンパ  ６５・・・バンパホルダ  ６５Ａ・・・ホルダネジ部  ６６・・・アジャスタ  ６６ａ・・・溝
【図１】
0005428585.tif 000002
【図２】
0005428585.tif 000003
【図３】
0005428585.tif 000004